(57)【要約】【課題】ろ過装置及びろ過装置用の容器、フィルタの交換方法、フィルタの洗浄方法において、流体から除去した不純物がろ過後の流体へ再混入することを抑制して信頼性の向上を図る。【解決手段】中空形状をなす容器５１と、複数の取付孔６７が設けられて容器５１内を流体導入空間部Ａと流体排出空間部Ｂに区画する仕切板５２と、基端部が複数の取付孔６７にそれぞれ装着されて先端部が流体導入空間部Ａに配置される複数のフィルタ５３とを備え、仕切板５２は、流体導入空間部Ａ側のフィルタ取付面６８が鉛直方向の下方を向くように傾斜して配置される。【選択図】図１
2017087093.tif 000002
【特許請求の範囲】
【請求項１】
中空形状をなす容器と、
複数の取付孔が設けられて前記容器内を流体導入空間部と流体排出空間部に区画する仕切板と、
基端部が前記複数の取付孔にそれぞれ装着されて先端部が前記流体導入空間部に配置される複数のフィルタと、
を備え、
前記仕切板は、前記流体導入空間部側のフィルタ取付面が鉛直方向の下方を向くように傾斜して配置される、
ことを特徴とするろ過装置。
【請求項２】
前記容器は、長手方向に沿う軸心が水平方向に対して傾斜して配置されることを特徴とする請求項１に記載のろ過装置。
【請求項３】
前記仕切板は、前記フィルタ取付面における前記取付孔の鉛直方向の上方側にカバーが設けられることを特徴とする請求項１または請求項２に記載のろ過装置。
【請求項４】
前記カバーは、前記取付孔の周縁部に沿うと共に、鉛直方向の下方側が開放されていることを特徴とする請求項３に記載のろ過装置。
【請求項５】
中空形状をなす容器と、
複数の取付孔が設けられてフィルタ取付面が鉛直方向に沿って配置されると共に前記容器内を流体導入空間部と流体排出空間部に区画する仕切板と、
基端部が前記複数の取付孔にそれぞれ装着されて先端部が前記流体導入空間部に配置される複数のフィルタと、
前記フィルタ取付面における前記取付孔の鉛直方向の上方側に設けられるカバーと、
を備えることを特徴とするろ過装置。
【請求項６】
前記カバーは、前記取付孔の周縁部に沿うと共に、鉛直方向の下方側が開放されていることを特徴とする請求項５に記載のろ過装置。
【請求項７】
前記取付孔は、円形の孔であり、前記カバーは、前記取付孔の周縁部に沿う円弧形状をなすことを特徴とする請求項６に記載のろ過装置。
【請求項８】
前記カバーは、水平方向に配列された複数の前記取付孔に対して同材料の連結部により連続して設けられる ことを特徴とする請求項５から請求項７のいずれか一項に記載のろ過装置。
【請求項９】
前記容器は、長手方向に沿う軸心が水平方向に沿って配置されることを特徴とする請求項５から請求項８のいずれか一項に記載のろ過装置。
【請求項１０】
前記複数のフィルタは、先端部が押え板により前記容器に支持されることを特徴とする請求項１から請求項９に記載のろ過装置。
【請求項１１】
前記複数のフィルタに向けて洗浄水を噴射する洗浄水噴射装置が設けられることを特徴とする請求項１から請求項１０のいずれか一項に記載のろ過装置。
【請求項１２】
前記洗浄水噴射装置は、前記容器の周方向に所定間隔で配置されて前記流体導入空間部に向けて洗浄水を噴射する複数の噴射ノズルを有することを特徴とする請求項１１に記載のろ過装置。
【請求項１３】
中空形状をなす容器と、
流体が導入される流体導入空間部と、
流体を排出する流体排出空間部と、
前記容器内を前記流体導入空間部と前記流体排出空間部に区画する仕切板と、
を備え、
前記仕切板は、前記流体導入空間部と前記流体排出空間部とを繋ぐ複数の孔を有し、前記流体導入空間部側の面が鉛直方向の下方を向くように傾斜して配置される、
ことを特徴とするろ過装置用の容器。
【請求項１４】
中空形状をなす容器と、
複数の取付孔が設けられて前記容器内を流体導入空間部と流体排出空間部に区画する仕切板と、
基端部が前記複数の取付孔にそれぞれ装着されて先端部が前記流体導入空間部に配置される複数のフィルタと、
を備えるろ過装置において、
前記流体導入空間部への流体の供給を停止する工程と、
前記容器内の流体を排出する工程と、
前記複数のフィルタに向けて洗浄水を噴射する工程と、
前記容器を開放する工程と、
前記フィルタを新しいフィルタに交換する工程と、
前記容器を閉止する工程と、
前記容器に水張りする工程と、
を有することを特徴とするフィルタの交換方法。
【請求項１５】
中空形状をなす容器と、
複数の取付孔が設けられて前記容器内を流体導入空間部と流体排出空間部に区画する仕切板と、
基端部が前記複数の取付孔にそれぞれ装着されて先端部が前記流体導入空間部に配置される複数のフィルタと、
を備えるろ過装置において、
前記容器内から流体を排出した状態で前記容器の外周部に設けられた複数の噴射ノズルから前記複数のフィルタに向けて洗浄水を噴射する、
ことを特徴とするフィルタの洗浄方法。
【請求項１６】
前記複数の噴射ノズルのうちの相対的に鉛直方向の上方側に配置された前記噴射ノズルから順に噴射させ、前記複数の噴射ノズルのうちの相対的に鉛直方向の上方側に配置された前記噴射ノズルから順に噴射を終了させることを特徴とする請求項１５に記載のフィルタの洗浄方法。
【発明の詳細な説明】
【技術分野】
【０００１】
本発明は、流体から異物を除去するろ過装置及びろ過装置用の容器、このろ過装置に使用されるフィルタの交換方法、フィルタの洗浄方法に関するものである。
【背景技術】
【０００２】
例えば、発電プラントにて、ボイラにより発生した高温・高圧の蒸気は、蒸気タービンに送られてタービンを回転駆動することで発電を行っている。そして、タービンを回転駆動した後の蒸気は、復水器により冷却されて水の状態に戻された後、再び、加熱されてボイラに供給されて再使用される。
【０００３】
このとき、ボイラへの給水中には、酸化鉄を主体とする不純物が含まれており、この不純物がボイラの伝熱管内面に徐々に付着し、この付着物によってボイラの伝熱管の差圧力が上昇したり伝熱不良が発生する場合があり、ひいてはボイラや配管等の破損を招くおそれがある。そのため、ボイラへの給水系統にろ過装置を設けることで、給水中に含まれる不純物を除去して、その給水の純度を厳しく管理するようにしている。
【０００４】
このようなろ過装置として、例えば、下記特許文献１に記載されたものがある。この特許文献１に記載されたろ過装置は、容器内に複数の取付孔を有する水平な仕切板を設け、この仕切板の各取付孔の上部にフィルタが取付けられて構成されている。そのため、給水は、容器上部から内部に導入され、複数のフィルタを通過するときに不純物が除去され、容器の下部から外部に排出される。また、ボイラ入口の給水中における鉄濃度は、５μｇ／ｌ（ｐｐｂ）以下、望ましくは、２μｇ／ｌ（ｐｐｂ）以下とすることが、ＪＩＳ規格に規定されている（非特許文献１）。
【先行技術文献】
【特許文献】
【０００５】
【特許文献１】特開２０１３−０７６５２０号公報
【非特許文献】
【０００６】
【非特許文献１】ＪＩＳ  Ｂ  ８２２３（ボイラの給水及びボイラ水の水質）、２００６年１０月２０日発行
【発明の概要】
【発明が解決しようとする課題】
【０００７】
上述したろ過装置では、仕切板の上方に複数のフィルタが鉛直方向に沿って配置されていることから、給水から除去された不純物は、各フィルタの外面に付着した後、自重により落下して仕切板の取付周辺部に堆積する。すると、フィルタ性能が低下に伴いフィルタを交換するにあたり、使用済のフィルタを仕切板から抜き取るとき、フィルタの取付部付近に堆積していた不純物が、仕切板の取付孔から容器の下部に落下して残留すると、ろ過後の給水に再混入して、ボイラ給水の純度を低下させたものがボイラ伝熱管内に流れてしまう危惧がある。
【０００８】
これを防止するため、例えば、給水をフィルタの中から外に流通することで、不純物を除去することが考えられる。しかし、この場合、不純物がフィルタ内に滞積するため、フィルタが短期間で閉塞して頻繁なフィルタの交換が必要となる。また、容器の下部にろ過後の給水を排出するための出口部とは別に、仕切板の取付孔から容器の下部に落下した不純物を貯める貯留部を設けることが考えられる。しかし、不純物は、水に浮遊して給水の出口部に流動するおそれがあり、ろ過後の給水に不純物が再混入して、ボイラ給水の純度を低下させる要因が残り信頼性が低い。
【０００９】
本発明は上述した課題を解決するものであり、流体から除去した不純物がろ過後の流体へ再混入することを抑制して信頼性の向上を図るろ過装置及びろ過装置用の容器、フィルタの交換方法、フィルタの洗浄方法を提供することを目的とする。
【課題を解決するための手段】
【００１０】
上記の目的を達成するための本発明のろ過装置は、中空形状をなす容器と、複数の取付孔が設けられて前記容器内を流体導入空間部と流体排出空間部に区画する仕切板と、基端部が前記複数の取付孔にそれぞれ装着されて先端部が前記流体導入空間部に配置される複数のフィルタと、を備え、前記仕切板は、前記流体導入空間部側のフィルタ取付面が鉛直方向の下方を向くように傾斜して配置される、ことを特徴とするものである。
【００１１】
従って、流体は、流体導入空間部に導入され、複数のフィルタを通過することで不純物が除去され、流体排出空間部に流動する。このとき、仕切板における流体導入空間部側のフィルタ取付面が鉛直方向の下方を向いていることから、フィルタに付着した不純物が重力により流体導入空間部側の容器の下部に落下しやすい。すると、フィルタの交換時に、不純物が仕切板の取付孔から流体排出空間部側に落下することが抑制される。その結果、流体から除去した不純物がろ過後の流体へ再混入することが抑制され、信頼性の向上を図ることができる。
【００１２】
本発明のろ過装置では、前記容器は、長手方向に沿う軸心が水平方向に対して傾斜して配置されることを特徴としている。
【００１３】
従って、容器の長手方向に沿う軸心が水平方向に対して傾斜していることで、フィルタに付着した不純物が重力により流体導入空間部側で、仕切板から離れた容器の下部に落下しやすくなり、フィルタの交換時に、不純物が仕切板の取付孔から流体排出空間部側に移行することを抑制することができる。
【００１４】
本発明のろ過装置では、前記仕切板は、前記フィルタ取付面における前記取付孔の鉛直方向の上方側にカバーが設けられることを特徴としている。
【００１５】
従って、仕切板における取付孔の上方側にカバーが設けられることで、フィルタの取付部側の上部側がカバーに被覆されることとなり、フィルタの取付部への不純物の付着や堆積を抑制することができる。
【００１６】
本発明のろ過装置では、前記カバーは、前記取付孔の周縁部に沿うと共に、鉛直方向の下方側が開放されていることを特徴としている。
【００１７】
従って、カバーが取付孔の周縁部に沿って下方側が開放されていることで、カバーの内側に不純物が堆積することが抑制され、仕切板の取付孔から流体排出空間部側への不純物の移行を抑制することができる。
【００１８】
本発明のろ過装置は、中空形状をなす容器と、複数の取付孔が設けられてフィルタ取付面が鉛直方向に沿って配置されると共に前記容器内を流体導入空間部と流体排出空間部に区画する仕切板と、基端部が前記複数の取付孔にそれぞれ装着されて先端部が前記流体導入空間部に配置される複数のフィルタと、前記フィルタ取付面における前記取付孔の鉛直方向の上方側に設けられるカバーと、を備えることを特徴とするものである。
【００１９】
従って、流体は、流体導入空間部に導入され、複数のフィルタを通過することで不純物が除去され、流体排出空間部に流動する。このとき、仕切板におけるフィルタ取付面が鉛直方向に沿って配置されることから、フィルタに付着した不純物が重力により流体導入空間部側の容器の下部に落下しやすい。また、取付孔の鉛直方向の上方側にカバーが設けられることから、フィルタの取付部に不純物が堆積しにくくなる。すると、フィルタの交換時に、不純物が仕切板の取付孔から流体排出空間部側に落下することが抑制される。その結果、流体から除去した不純物がろ過後の流体へ再混入することが抑制され、信頼性の向上を図ることができる。
【００２０】
本発明のろ過装置では、前記カバーは、前記取付孔の周縁部に沿うと共に、鉛直方向の下方側が開放されていることを特徴としている。
【００２１】
従って、カバーが取付孔の周縁部に沿って下方側が開放されていることで、カバーの内側に不純物が堆積することが抑制され、仕切板の取付孔から流体排出空間部側への不純物の移行を抑制することができる。
【００２２】
本発明のろ過装置では、前記取付孔は、円形の孔であり、前記カバーは、前記取付孔の周縁部に沿う円弧形状をなすことを特徴としている。
【００２３】
従って、取付孔を円形の孔とし、カバーをこの取付孔の周縁部に沿う円弧形状とすることで、フィルタの外面とカバーの内面との隙間を狭く設定することができ、カバーにより被覆されたフィルタの外面への不純物の付着や堆積を抑制することができる。
【００２４】
本発明のろ過装置では、前記カバーは、水平方向に配列された複数の前記取付孔に対して同材料の連結部により連続して設けられることを特徴としている。
【００２５】
従って、カバーを水平方向に配列された複数の取付孔に対して同材料の連結部により連続して設けることで、１個のカバーにより複数のフィルタを被覆することができ、仕切板へのカバーの取付作業を容易として、製造工程を簡素化することができると共に、製造コストを低減することができる。
【００２６】
本発明のろ過装置では、前記容器は、長手方向に沿う軸心が水平方向に沿って配置されることを特徴としている。
【００２７】
従って、容器の長手方向に沿う軸心が水平方向に沿っていることで、フィルタに付着した不純物が重力により流体導入空間部側に落下しやすくなり、フィルタの交換時に、不純物が仕切板の取付孔から流体排出空間部側に移行することを抑制することができる。
【００２８】
本発明のろ過装置では、前記複数のフィルタは、先端部が押え板により前記容器に支持されることを特徴としている。
【００２９】
従って、複数のフィルタの先端部を押え板により容器に支持することで、複数のフィルタを容器に安定して支持することができ、安定したろ過性能を維持することができる。
【００３０】
本発明のろ過装置では、前記複数のフィルタに向けて洗浄水を噴射する洗浄水噴射装置が設けられることを特徴としている。
【００３１】
従って、洗浄水噴射装置が複数のフィルタに向けて洗浄水を噴射することで、各フィルタに堆積した不純物が各フィルタから容器の下部に落下することとなり、フィルタの交換時に、不純物が仕切板の取付孔から流体排出空間部側に落下するのを抑制することができる。
【００３２】
本発明のろ過装置では、前記洗浄水噴射装置は、前記容器の周方向に所定間隔で配置されて前記流体導入空間部に向けて洗浄水を噴射する複数の噴射ノズルを有することを特徴としている。
【００３３】
従って、容器の周方向に所定間隔で配置される複数の噴射ノズルから各フィルタに向けて洗浄水が噴射されることとなり、各フィルタのほぼ全域にわたって洗浄水を噴射し、付着した鉄分を効率良く除去することができる。
【００３４】
また、本発明のろ過装置用の容器は、中空形状をなす容器と、流体が導入される流体導入空間部と、流体を排出する流体排出空間部と、前記容器内を前記流体導入空間部と前記流体排出空間部に区画する仕切板と、を備え、前記仕切板は、前記流体導入空間部と前記流体排出空間部とを繋ぐ複数の孔を有し、前記流体導入空間部側の面が鉛直方向の下方を向くように傾斜して配置される、ことを特徴とするものである。
【００３５】
従って、流体は、流体導入空間部に導入され、仕切板に設けられた複数の孔を通過し、流体排出空間部に流動する。このとき、仕切板における流体導入空間部側の面が鉛直方向の下方を向いていることから、流体導入部に導入された流体より比重の不純物が重力により流体導入空間部側の容器の下部に落下しやすい。すると、流体導入空間部へ流体を導入した時に、不純物が仕切板を通過し流体排出空間部側に流入することが抑制される。その結果、不純物が流体排出空間部の流体へ混入することが抑制され、ろ過装置の信頼性の向上を図ることができる。
【００３６】
また、本発明のフィルタの交換方法は、中空形状をなす容器と、複数の取付孔が設けられて前記容器内を流体導入空間部と流体排出空間部に区画する仕切板と、基端部が前記複数の取付孔にそれぞれ装着されて先端部が前記流体導入空間部に配置される複数のフィルタと、を備えるろ過装置において、前記流体導入空間部への流体の供給を停止する工程と、前記容器内の流体を排出する工程と、前記複数のフィルタに向けて洗浄水を噴射する工程と、前記容器を開放する工程と、前記フィルタを新しいフィルタに交換する工程と、前記容器を閉止する工程と、前記容器（８１）に水張りする工程と、を有することを特徴とするものである。
【００３７】
従って、流体導入空間部への流体の供給を停止して容器内の流体を排出した後、複数のフィルタに向けて洗浄水を噴射することで、各フィルタに堆積した不純物が各フィルタから容器の下部に落下する。そのため、フィルタの交換時に、不純物が仕切板の取付孔から流体排出空間部側に落下することが抑制される。その結果、流体から除去した不純物がろ過後の流体へ再混入することが抑制され、信頼性の向上を図ることができる。
【００３８】
本発明のフィルタの洗浄方法は、中空形状をなす容器と、複数の取付孔が設けられて前記容器内を流体導入空間部と流体排出空間部に区画する仕切板と、基端部が前記複数の取付孔にそれぞれ装着されて先端部が前記流体導入空間部に配置される複数のフィルタと、を備えるろ過装置において、前記容器内から流体を排出した状態で前記容器の外周部に設けられた複数の噴射ノズルから前記複数のフィルタに向けて洗浄水を噴射する、ことを特徴とするものである。
【００３９】
従って、容器内から流体を排出した状態で容器の外周部にある複数の噴射ノズルから複数のフィルタに向けて洗浄水を噴射することで、各フィルタに堆積した不純物が各フィルタから容器の下部に落下する。そのため、フィルタの交換時に、不純物が仕切板の取付孔から流体排出空間部側に落下することが抑制される。その結果、流体から除去した不純物がろ過後の流体へ再混入することが抑制され、信頼性の向上を図ることができる。
【００４０】
本発明のフィルタの洗浄方法では、前記複数の噴射ノズルのうちの相対的に鉛直方向の上方側に配置された前記噴射ノズルから順に噴射させ、前記複数の噴射ノズルのうちの相対的に鉛直方向の上方側に配置された前記噴射ノズルから順に噴射を終了させることを特徴としている。
【００４１】
従って、各フィルタに堆積した不純物が上方側のフィルタから順に除去されて容器の下部に落下することとなり、フィルタに対する不純物の再付着を防止することができる。
【発明の効果】
【００４２】
本発明のろ過装置及びろ過装置用の容器によれば、容器内を流体導入空間部と流体排出空間部に区画する仕切板にて、流体導入空間部側のフィルタ取付面を鉛直方向の下方を向くように傾斜して配置するので、流体から除去した不純物がろ過後の流体へ再混入することが抑制され、信頼性の向上を図ることができる。
【００４３】
また、本発明のろ過装置によれば、容器内を流体導入空間部と流体排出空間部に区画する仕切板にて、フィルタ取付面を鉛直方向に沿って配置するので、流体から除去した不純物がろ過後の流体へ再混入することが抑制され、信頼性の向上を図ることができる。
【００４４】
また、本発明のフィルタの交換方法及びフィルタの洗浄方法によれば、複数のフィルに向けて洗浄水を噴射するので、流体から除去した不純物がろ過後の流体へ再混入することが抑制され、信頼性の向上を図ることができる。
【図面の簡単な説明】
【００４５】
【図１】図１は、第１実施形態のろ過装置を表す長手方向の断面図である。
【図２】図２は、ろ過装置を表す図１のII−II断面図である。
【図３】図３は、仕切板におけるフィルタ取付部を表す概略図である。
【図４】図４は、フィルタが取外された仕切板の概略図である。
【図５】図５は、第１実施形態のろ過装置が適用された発電プラントを表す概略構成図である。
【図６】図６は、第２実施形態のろ過装置を表す長手方向の断面図である。
【図７】図７は、仕切板のフィルタ取付部に設けられるカバーを表す断面図である。
【図８】図８は、図７のVIII−VIII断面図である。
【図９】図９は、仕切板のフィルタ取付部に設けられるカバーを表す斜視図である。
【図１０】図１０は、仕切板のフィルタ取付部に設けられるカバーの変形例１を表す斜視図である。
【図１１】図１１は、カバーが装着されたフィルタの断面図である。
【図１２】図１２は、仕切板のフィルタ取付部に設けられるカバーの変形例２を表す斜視図である。
【図１３】図１３は、仕切板のフィルタ取付部に設けられるカバーの変形例３を表す概略図である。
【図１４】図１４は、第３実施形態のろ過装置を表す長手方向の断面図である。
【図１５】図１５は、ろ過装置を表す図１４のXV−XV断面図である。
【図１６】図１６は、第３実施形態のフィルタの交換方法を表すフローチャートである。
【発明を実施するための形態】
【００４６】
以下に添付図面を参照して、本発明に係るろ過装置及びろ過装置用の容器、フィルタの交換方法、フィルタの洗浄方法の好適な実施形態を詳細に説明する。なお、この実施形態により本発明が限定されるものではなく、また、実施形態が複数ある場合には、各実施形態を組み合わせて構成するものも含むものである。
【００４７】
［第１実施形態］
図５は、第１実施形態のろ過装置が適用された発電プラントを表す概略構成図である。
【００４８】
第１実施形態の発電プラントは、図５に示すように、ボイラ１１と、蒸気タービン１２と、発電機１３とを有している。ボイラ１１は、例えば、排ガスと熱交換することで蒸気を生成するものである。蒸気タービン１２は、ボイラ１１で生成された蒸気によりタービンを回転駆動するものである。発電機１３は、蒸気タービン１２のタービンの回転駆動力により発電を行うものである。
【００４９】
ボイラ１１は、蒸気タービン１２に対して蒸気供給ラインＬ１が設けられており、この蒸気供給ラインＬ１に過熱器２１が設けられている。この蒸気タービン１２は、高圧タービン２２と低圧タービン２３から構成されており、ボイラ１１は、生成した蒸気Ｓ１を蒸気供給ラインＬ１から高圧タービン２２に供給する。高圧タービン２２は、低圧タービン２３に対して蒸気供給ラインＬ２が設けられており、この蒸気供給ラインＬ２に再熱器２４が設けられている。高圧タービン２２は、タービンを回転駆動した蒸気Ｓ２を蒸気供給ラインＬ２から低圧タービン２３に供給する。
【００５０】
蒸気タービン１２の出口には、復水器２５が設けられている。復水器２５は、蒸気タービン１２（低圧タービン２３）を回転駆動した蒸気を冷却水（例えば、海水）により冷却することで復水とするものである。この復水器２５は、ボイラ１１に対して給水ラインＬ３が設けられている。この給水ラインＬ３は、復水器２５からボイラ１１に向けて、復水ポンプ２６、電磁フィルタ２７、純水装置２８、復水ブースタポンプ２９、低圧給水ヒータ３０、脱気器３１、貯水槽３２、ボイラ給水ポンプ３３、給水制御弁３４、高圧給水ヒータ３５が設けられている。
【００５１】
そのため、復水ポンプ２６を駆動すると、復水器２５の復水Ｗ１が電磁フィルタ２７を通して純水装置２８に送られて純水Ｗ２となる。また、復水ブースタポンプ２９を駆動すると、純水Ｗ２は、低圧給水ヒータ３０で加熱され、脱気器３１で溶存酸素や不凝結ガスなどの不純物が除去された後に貯水槽３２に貯留される。そして、ボイラ給水ポンプ３３を駆動すると、処理された給水Ｗ３は、給水制御弁３４を経て高圧給水ヒータ３５により加熱された後、ボイラ１１に戻される。
【００５２】
なお、復水器２５は、外部に設けた補給水タンク３６が補給水ラインＬ４を介して連結されており、補給水ラインＬ４に補給水ポンプ３７が設けられている。補給水ポンプ３７を駆動することで、補給水タンク３６の補給水を補給水ラインＬ４から復水器２５に補給する。
【００５３】
また、低圧給水ヒータ３０は、高圧タービン２２を駆動した蒸気Ｓ２により純水Ｗ２を加熱する。蒸気供給ラインＬ２における再熱器２４より上流側から蒸気供給ラインＬ５が設けられており、この蒸気供給ラインＬ５は、低圧給水ヒータ３０を経て低圧ヒータドレンタンク３８に連結されている。低圧給水ヒータ３０で蒸気Ｓ２が凝縮して発生したドレンＷ４がこの低圧ヒータドレンタンク３８に貯留される。低圧ヒータドレンタンク３８は、ドレン送給ラインＬ６によりろ過装置３９に連結され、ドレン送給ラインＬ６にドレンポンプ４０が設けられている。そして、ろ過装置３９は、給水ラインＬ７により低圧給水ヒータ３０の給水ラインＬ３に連結されている。ドレンポンプ４０を駆動すると、低圧ヒータドレンタンク３８のドレンＷ４がドレン送給ラインＬ６からろ過装置３９に送られ、ろ過装置３９により不純物が除去される。ボイラ１１へ供給する給水は、鉄分濃度などの不純物が厳しく管理されており、不純物が除去されたドレンＷ５は、給水ラインＬ７により給水ラインＬ３に送られ、高圧給水ヒータ３５を経由してボイラ１１へと供給される。
【００５４】
ここで、上述した発電プラントに適用されたろ過装置について説明する。図１は、第１実施形態のろ過装置を表す長手方向の断面図、図２は、ろ過装置を表す図１のII−II断面図、図３は、仕切板におけるフィルタ取付部を表す概略図、図４は、フィルタが取外された仕切板の概略図である。
【００５５】
第１実施形態のろ過装置３９は、図１及び図２に示すように、ドレンＷ４に含まれる不純物としての酸化鉄（スラッジ）をろ過して除去するものである。ろ過装置３９は、容器５１と、仕切板５２と、フィルタ５３と、押え板５４とを有している。
【００５６】
容器５１は、中空形状をなし、容器本体６１と蓋６２とから構成され、蓋６２が容器本体６１に複数のボルト６３により固定されることで、内部が密閉された圧力容器となる。容器５１は内部圧力や温度に耐久性のある形状と材質などが選定される。本実施形態では、圧力は２Ｍ〜３ＭＰａ、温度は８０℃〜１５０℃のドレンＷ４がろ過装置３９に供給される。このため、容器本体６１は、円筒形状をなす胴体における長手方向の一端部が球面の一部を含む形状をなす底部により閉塞され、長手方向の他端部が開口部６４により開放されていて、例えば、ＳＵＳ３０４などのステンレス系材料で製作される。蓋６２は、容器本体６１の底部と同様に、球面の一部を含む形状をなしている。容器本体６１は、厚さがほぼ一定であって、開口部６４側の外周部にリング形状をなすフランジ部６５が設けられている。蓋６２は、厚さがほぼ一定であって、外周部にリング形状をなすフランジ部６６が設けられている。容器本体６１は、開口部６４側に蓋６２が密着し、各フランジ部６５，６６同士が複数のボルト６３により一体に連結されている。
【００５７】
仕切板５２は、円板形状をなし、複数の取付孔６７が千鳥状に形成されている。この仕切板５２は、容器５１の容器本体６１における長手方向の中間位置に固定されており、容器５１の内部を流体導入空間部Ａと流体排出空間部Ｂとに区画している。流体導入空間部Ａは、処理前の流体が入る領域であり、流体排出空間部Ｂは、処理後の流体が出る領域である。この仕切板５２は、開口部６４（流体導入空間部Ａ）側がフィルタ取付面６８であり、このフィルタ取付面６８が鉛直方向に沿う鉛直線Ｖに対して所定角度θ２だけ傾斜して配置されている。この場合、このフィルタ取付面６８が鉛直方向の下方を向くように傾斜して配置される。ここで、鉛直線Ｖに対して所定角度θ２は、０度を超え９０度の範囲に設定することが好ましい。この所定角度θ２により、後述するように、フィルタ５３の交換時にフィルタ取付面６８が鉛直方向の下方を向いていることから、フィルタ５３と仕切板５２の取付部付近に付着した鉄分が、仕切板５２の取付孔６７から容器５１の流体排出空間部Ｂ側に落下して、ろ過後のドレンＷ５へ再混入することが抑制することができる。
【００５８】
仕切板５２は、容器本体６１の長手方向に沿う中心軸Ｏと垂直方向に沿うに配置されている。大型の容器本体６１では仕切板５２を中心軸Ｏを基準として取付けることで、位置決め精度を容易にして製造ができるので好ましい。この場合、この容器５１は、中心軸Ｏが水平方向に沿う水平線Ｌに対して所定角度θ１だけ傾斜して配置されている。この場合、容器５１は、容器本体６１に対して蓋６２が下方側に位置するように傾斜して配置される。ここで、水平線Ｌに対する中心軸Ｏの傾斜角度θ１は、０度を超え９０度の範囲に設定することが好ましい。なお、所定角度θ１と所定角度θ２は、同じ角度となる。
【００５９】
フィルタ５３は、長手方向の一端部が開口し、他端部が閉塞された円筒形状をなし、開口側が仕切板５２の取付孔６７に着脱自在に装着されている。フィルタ５３は、一端部側である基端部が仕切板５２のフィルタ取付面６８側に装着されており、他端部側である先端部が流体導入空間部Ａ側に配置されている。このフィルタ５３は、多数の貫通孔を有する外筒と内筒との間にろ材が設けられて構成され、流体が外筒からろ材を通して内筒の内部に流れることで、含有する不純物を除去する。フィルタ５３は、図３に示すように、ろ材が支持されるフィルタ本体５３ａと、長手方向の端部に設けられてこのフィルタ本体５３ａより小径の取付部５３ｂとを有している。そして、このフィルタ５３は、取付部５３ｂがフィルタ取付面６８側からＯリング６９を介して取付孔６７に嵌合することで、仕切板５２に固定される。
【００６０】
図１及び図２に示すように、押え板５４は、仕切板５２と同径の円板形状をなし、仕切板５２と同様に、複数の支持孔７０が千鳥状に形成されている。この押え板５４は、容器５１の容器本体６１における開口部６４側に固定されており、各支持孔７０にフィルタ５３の他端部である先端部が嵌合することで、このフィルタ５３を支持している。この押え板５４は、仕切板５２と平行をなして配置されることで、この仕切板５２と同様に、鉛直線Ｖに対して所定角度θ２だけ傾斜して配置されている。
【００６１】
また、容器５１は、流体導入空間部Ａ側における容器本体６１の上部に導入部７１が設けられドレンＷ４を導入する一方、流体排出空間部Ｂ側における容器本体６１の下部に排出部７２が設けられていて、給水ラインＬ７、Ｌ３を経由してボイラ１１へ向かう給水５となる。また、ボイラの起動・停止やメンテナンス作業を行うにあたり、容器５１は、流体導入空間部Ａ側における蓋６２の下部にドレン部７３が設けられる一方、流体排出空間部Ｂ側における容器本体６１の上部にベント部７４が設けられている。
【００６２】
ここで、第１実施形態のろ過装置３９の作用について説明する。
【００６３】
ドレン送給ラインＬ６（図５参照）からろ過装置３９に送られたドレンＷ４は、導入部７１から容器５１の流体導入空間部Ａに導入される。このとき、ドレン部７３は、閉止され、内部の空気がベント部７４から排出される。流体導入空間部Ａに導入されたドレンＷ４は、複数のフィルタ５３の外側から内側へと通過することで、不純物としての鉄分が除去される。鉄分が除去されたドレンＷ５は、流体排出空間部Ｂに流れて排出部７２からろ過装置３９に接続される給水ラインＬ７に送られる。
【００６４】
このとき、仕切板５２は、フィルタ取付面６８が鉛直方向における下方を向いて傾斜して配置されていることから、各フィルタ５３の外面、特に仕切板５２とフィルタ３５の取付部分付近に付着した鉄分が重力により流体導入空間部Ａ側の容器５１の下部に落下しやすい。
【００６５】
そして、ある運用期間にわたってろ過装置３９によるドレンＷ４のろ過処理が実施されると、フィルタ５３が目詰まりすることなどからフィルタの性能が低下して、フィルタ５３の交換が必要となる。フィルタ５３の交換には、所定の運用期間を管理しても良いし、フィルタ５３の差圧の上昇状況や、鉄分が除去されたドレンＷ５の純度低下状況などを判断して、交換時期を設定しても良い。フィルタ５３の交換を行う場合、まず、容器５１内へのドレンＷ４の供給を停止し、ドレン部７３を開放して容器５１における流体導入空間部ＡのドレンＷ４をドレン部７３から排出すると共に、流体排出空間部ＢのドレンＷ５を排出部７２から排出する。
【００６６】
次に、複数のボルト６３を弛緩し、容器本体６１から蓋６２を取外して開口部６４を開放する。そして、押え板５４を取外した後、各フィルタ５３を１本仕切板５２から抜き取っていく。図３に示すように、フィルタ５３や仕切板５２は、外面やフィルタ取付面６８に酸化鉄（スラッジ）が付着したり、堆積したりしており、フィルタ５３を矢印Ｃ方向に抜き取ると、図４に示すようになり、フィルタ５３の外面やフィルタ取付面６８に付着したり、堆積したりしていた酸化鉄（スラッジ）が鉛直下方へと落下する。このとき、仕切板５２は、フィルタ取付面６８が鉛直方向における下方を向いて傾斜していることから、フィルタ５３の外面やフィルタ取付面６８に付着していた酸化鉄（スラッジ）の一部が落下するときでも、各取付孔６７から流体排出空間部Ｂ側に行かずに、流体導入空間部Ａ側の容器５１の下部に落下する。そして、容器５１の下部に落下した鉄分は、ドレン部７３から外部に排出される。
【００６７】
使用済のフィルタ５３が全て取外されると、今度は、新しいフィルタ５３を仕切板５２に装着する。即ち、取付部５３ｂをＯリング６９を介して取付孔６７に嵌合することで、新しいフィルタ５３が仕切板５２に装着される。フィルタ５３の交換が完了すると、容器本体６１に押え板５４を固定し、続いて、蓋６２をボルト６３により固定して作業終了となる。
【００６８】
このように第１実施形態のろ過装置にあっては、中空形状をなす容器５１と、複数の取付孔６７が設けられて容器５１内を流体導入空間部Ａと流体排出空間部Ｂに区画する仕切板５２と、基端部が複数の取付孔６７にそれぞれ装着されて先端部が流体導入空間部Ａに配置される複数のフィルタ５３とを備え、仕切板５２は、流体導入空間部Ａ側のフィルタ取付面６８が鉛直方向の下方を向くように傾斜して配置される。
【００６９】
従って、ドレンＷ４は、流体導入空間部Ａに導入され、複数のフィルタ５３を通過することで鉄分が除去されたドレンＷ５として流体排出空間部Ｂに流動する。このとき、仕切板５２における流体導入空間部Ａ側のフィルタ取付面６８が鉛直方向の下方を向いていることから、フィルタ５３、特に仕切板５２とフィルタ３５の取付部分付近に付着した鉄分が重力により流体導入空間部Ａ側の容器５１の下部に落下しやすい。すると、フィルタ５３の交換時に、フィルタ３５の取り付ける仕切板５２のフィルタ取付面６８が鉛直方向の下方を向いているように配置しているので、鉄分の一部が仕切板５２の取付孔６７から流体排出空間部Ｂ側に落下することが抑制される。その結果、ドレンＷ４から除去した鉄分がろ過後のドレンＷ５へ再混入することが抑制され、装置の信頼性の向上を図ることができる。
【００７０】
第１実施形態のろ過装置では、容器５１を長手方向に沿う中心軸Ｏが水平線Ｌに対して傾斜するように配置している。従って、フィルタ５３に付着した鉄分が重力により流体導入空間部Ａ側で、仕切板５２から離れた蓋６２側の容器５１の下部に落下しやすくなり、フィルタ５３の交換時に、鉄分が仕切板５２の取付孔６７から流体排出空間部Ｂ側に移動により混入することを抑制することができる。これにより、給水ラインＬ７，Ｌ３を経由してボイラ１１へと供給するドレンＷ５は、鉄分濃度を基準値以内に維持することが可能となる。
【００７１】
また、第１実施形態のろ過装置用の容器にあっては、中空形状をなす容器５１と、容器５１内を流体導入空間部Ａと流体排出空間部Ｂに区画する仕切板５２とを備え、仕切板５２は、流体導入空間部Ａと流体排出空間部Ｂとを繋ぐ複数の取付孔６７が設けられ、流体導入空間部Ａ側のフィルタ取付面６８が鉛直方向の下方を向くように傾斜して配置される。従って、鉄分の一部が仕切板５２の取付孔６７から流体排出空間部Ｂ側に落下することが抑制され、ドレンＷ４から除去した鉄分がろ過後のドレンＷ５へ再混入することが抑制され、装置の信頼性の向上を図ることができる。
【００７２】
［第２実施形態］
図６は、第２実施形態のろ過装置を表す長手方向の断面図である。なお、上述した第１実施形態と同様の機能を有する部材には、同一の符号を付して詳細な説明は省略する。
【００７３】
第２実施形態において、図６に示すように、ろ過装置８０は、ドレンＷ４に含まれる不純物としての酸化鉄（スラッジ）をろ過して除去するものである。ろ過装置８０は、容器８１と、仕切板８２と、フィルタ８３と、押え板８４とを有している。
【００７４】
容器８１は、中空形状をなし、容器本体９１と蓋９２とから構成され、蓋９２が容器本体９１に複数のボルト９３により固定されることで、内部が密閉された圧力容器となる。容器８１は内部圧力や温度に耐久性のある形状と材質などが選定される。容器本体９１は、円筒形状をなす胴体における長手方向の一端部が球面の一部を含む形状をなす底部により閉塞され、長手方向の他端部が開口部９４により開放されていて、たとえばＳＵＳ３０４などのステンレス系材料で製作される。蓋８２は、容器本体９１の底部と同様に、球面の一部を含む形状をなしている。容器本体９１は、厚さがほぼ一定であって、開口部９４側の外周部にリング形状をなすフランジ部９５が設けられている。蓋９２は、厚さがほぼ一定であって、外周部にリング形状をなすフランジ部９６が設けられている。容器本体９１は、開口部９４側に蓋９２が密着し、各フランジ部９５，９６同士が複数のボルト９３により一体に連結されている。
【００７５】
本実施形態では、この容器８１は、長手方向に沿う中心軸Ｏが水平方向に沿う水平線Ｌに沿って配置されている。第１実施形態と同様に、容器８１は、中心軸Ｏが水平方向に沿う水平線Ｌに対して所定角度θ１だけ傾斜して配置されていてもよい。
【００７６】
仕切板８２は、円板形状をなし、複数の取付孔９７が千鳥状に形成されている。この仕切板８２は、容器８１の容器本体９１に固定されており、容器８１の内部を流体導入空間部Ａと流体排出空間部Ｂとに区画している。なお、仕切板８２は容器本体９１内の排出部１０２に近い位置で固定すると、容器本体９１を小型化でき、ろ過装置８１を小型化でき、好ましい。この仕切板８２は、開口部９４（流体導入空間部Ａ）側がフィルタ取付面９８であり、このフィルタ取付面９８が鉛直方向に沿う鉛直線Ｖに沿って配置されている。第１実施形態と同様に、容器８１は、中心軸Ｏが水平方向に沿う水平線Ｌに対して所定角度θ１だけ傾斜させた場合は、鉛直線Ｖに沿って所定角度θ２だけ傾斜して配置されていてもよい。
【００７７】
フィルタ８３は、長手方向の一端部が開口し、他端部が閉塞された円筒形状をなし、開口側が仕切板８２の取付孔９７に着脱自在に装着されている。フィルタ８３は、一端部側である基端部が仕切板８２のフィルタ取付面９８側に装着されており、他端部側である先端部が流体導入空間部Ａ側に配置されている。このフィルタ８３は、多数の貫通孔を有する外筒と内筒との間にろ材が設けられて構成され、流体が外筒からろ材を通して内筒の内部に流れることで、含有する不純物を除去する。フィルタ８３は、図７に示すように、ろ材が支持されるフィルタ本体８３ａと、長手方向の端部に設けられてこのフィルタ本体８３ａより小径の取付部８３ｂとを有している。そして、このフィルタ８３は、取付部８３ｂがフィルタ取付面９８側からＯリング９９を介して取付孔９７に嵌合することで、仕切板８２に固定される。
【００７８】
図６に示すように、押え板８４は、仕切板８２と同径の円板形状をなし、仕切板８２と同様に、複数の支持孔１００が千鳥状に形成されている。この押え板８４は、容器８１の容器本体９１における開口部９４側に固定されており、各支持孔１００にフィルタ８３の他端部が嵌合することで、このフィルタ８３を支持している。この押え板８４は、仕切板８２と平行をなして配置されることで、この仕切板５２と同様に、鉛直線Ｖに沿って配置されている。
【００７９】
また、容器８１は、流体導入空間部Ａ側における容器本体９１の上部に導入部１０１が設けられドレンＷ４を導入する一方、流体排出空間部Ｂ側における容器本体９１の下部に排出部１０２が設けられて鉄分の除去されたドレンＷ５を排出する。また、ボイラの起動・停止やメンテナンス作業を行うにあたり、容器８１は、流体導入空間部Ａ側における蓋９２の下部にドレン部１０３が設けられる一方、流体排出空間部Ｂ側における容器本体９１の上部にベント部１０４が設けられている。
【００８０】
第２実施形態では、仕切板８２におけるフィルタ取付面９８にフィルタ８３の取付部側を被覆するカバー１１１が設けられている。図７は、仕切板のフィルタ取付部に設けられるカバーを表す断面図、図８は、図７のVIII−VIII断面図、図９は、仕切板のフィルタ取付部に設けられるカバーを表す斜視図である。
【００８１】
カバー１１１は、図７から図９に示すように、フィルタ取付面９８における取付孔９７の鉛直方向Ｖの上方側に設けられている。このカバー１１１は、取付孔９７の周縁部に沿うと共に鉛直方向Ｖの下方側が開放されている。仕切板８２に形成された複数の取付孔９７は、円形の孔であり、カバー１１１は、この各取付孔９７の周縁部に沿う円弧形状をなしている。
【００８２】
カバー１１１は、薄板の平板が半円形状をなすように曲げ加工された湾曲形状をなし、軸方向の一端部１１１ａが仕切板８２における取付孔９７の鉛直上方で、この取付孔９７の周縁に沿うようにフィルタ取付面９８に固定されている。薄板のカバー１１１の材質は、たとえばＳＵＳ３０４である。カバー１１１は、図７、図８では、フィルタ８３におけるフィルタ本体８３ａの鉛直上方を略１８０度にわたって被覆しており、一端部１１１ａから他端部１１１ｂまでの長さが、フィルタ本体８３ａの外径の２倍程度となっている。また、カバー１１１は、内面１１１ｃがフィルタ本体８３ａの外周面に沿う形状になっており、内面１１１ｃとフィルタ本体８３ａの外周面との隙間を極小にすることが望ましい。従い、カバー１１１は、外面１１１ｄがフィルタ本体８３ａに沿う湾曲形状となっている。
【００８３】
なお、上述の説明では、カバー１１１を半円形状としたが、この形状に限定されるものではない。図１０は、仕切板のフィルタ取付部に設けられるカバーの変形例１を表す斜視図、図１１は、カバーが装着されたフィルタの断面図、図１２は、仕切板のフィルタ取付部に設けられるカバーの変形例２を表す斜視図、図１３は、仕切板のフィルタ取付部に設けられるカバーの変形例３を表す概略図である。
【００８４】
変形例１において、図１０及び図１１に示すように、カバー１１２は、フィルタ取付面９８における取付孔９７の鉛直方向Ｖの上方側及び側方側に設けられており、取付孔９７の周縁部に沿うと共に鉛直方向Ｖの下方側が開放される円弧形状をなしている。カバー１１２は、軸方向の一端部１１２ａが仕切板８２における取付孔９７の上方で、この取付孔９７の周縁に沿うようにフィルタ取付面９８に固定されている。カバー１１２は、フィルタ８２におけるフィルタ本体８３ａの上方を略２７０度にわたって被覆しており、一端部１１２ａから他端部１１２ｂまでの長さが所定長さとなっている。また、カバー１１２は、内面１１２ｃがフィルタ本体８３ａの外周面に沿う形状になっており、外面１１２ｄが内面１１２ｃに沿う湾曲形状となっている。
【００８５】
変形例２において、図１２に示すように、カバー１１３は、フィルタ取付面９８における取付孔９７の鉛直方向Ｖの上方側及び側方側に設けられており、取付孔９７の周縁部に沿うと共に鉛直方向Ｖの下方側が開放される円弧形状をなしている。カバー１１３は、軸方向の一端部１１３ａが仕切板８２における取付孔９７の鉛直上方で、この取付孔９７の周縁に沿うようにフィルタ取付面９８に固定されている。カバー１１３は、フィルタ８３におけるフィルタ本体８３ａの上方をほぼ全周にわたって被覆しているが、他端部１１３ｂは上部から下部にかける取付部８３ｂ側に傾斜しており、この傾斜した部分の側方視が直角三角形をなしている。また、カバー１１３は、内面１１３ｃがフィルタ本体８３ａの外周面に沿う形状になっており、外面１１３ｄが内面１１３ｃに沿う湾曲形状となっている。
【００８６】
変形例３において、図１３に示すように、カバー１１４は、水平方向Ｌに配列された複数の取付孔９７に対して連続して設けられている。カバー１１４は、複数のカバー部１１４ａと複数の連結部１１４ｂが交互に連結された構造をなし、カバー部１１４ａは、上述したカバー１１１（図７参照）と同形状をなしている。また、カバー部１１４ａは、上述したカバー１１２（図１０参照）やカバー１１３（図１２０参照）と同形状をなしていてもよい。カバー１１４は、この複数のカバー部１１４ａ（カバー１１１）が連結部１１４ｂにより連結されて構成されている。
【００８７】
なお、本発明のカバーは、上述したカバー１１１，１１２，１１３，１１４に限定されるものではなく、例えば、カバーを平板形状、Ｌ字形状、コ字形状などとして取付孔９７の上方に配置してもよい。また、カバーを単なる筒形状としてもよい。
【００８８】
ここで、第２実施形態のろ過装置８０の作用について説明する。
【００８９】
ドレン送給ラインＬ６（図５参照）からろ過装置８０に送られたドレンＷ４は、導入部１０１から容器８１の流体導入空間部Ａに導入される。このとき、ドレン部１０３は、閉止され、内部の空気がベント部１０４から排出される。流体導入空間部Ａに導入されたドレンＷ４は、複数のフィルタ８３の外側から内側へと通過することで、不純物としての鉄分が除去される。鉄分が除去されたドレンＷ５は、流体排出空間部Ｂに流れて排出部１０２から外部に排出される。
【００９０】
このとき、仕切板８２は、フィルタ取付面９８が鉛直方向に沿って配置されていることから、各フィルタ８３の外面に付着した鉄分が重力により流体導入空間部Ａ側の容器８１の下部に落下しやすい。また、各フィルタ８３は、フィルタ本体８３ａの取付部８３ｂ側の上部がカバー１１１（１１２，１１３，１１４）により被覆されていることから、鉄分が各フィルタ８３の外面、特に仕切板５２とフィルタ３５の取付部分付近に直接付着しにくい。
【００９１】
そして、ある運用期間にわたってろ過装置８０によるドレンＷ４のろ過処理が実施されると、フィルタ８３が目詰まりするなどことからフィルタの性能が低下して、フィルタ８３の交換が必要となる。フィルタ８３の交換を行う場合、まず、容器８１内へのドレンＷ４の供給を停止し、ドレン部１０３を開放して容器８１における流体導入空間部ＡのドレンＷ４をドレン部１０３から排出すると共に、流体排出空間部ＢのドレンＷ５を排出部１０２から排出する。
【００９２】
次に、複数のボルト９３を弛緩し、容器本体９１から蓋９２を取外して開口部９４を開放する。そして、押え板８４を取外した後、各フィルタ８３を仕切板８２から抜き取っていく。例えば、図７から図９に示すように、フィルタ８３や仕切板８２は、外面やフィルタ取付面９８に酸化鉄（スラッジ）が付着したり、堆積したりしているが、フィルタ本体８３ａは、取付部８３ｂ側の上部がカバー１１１により被覆されており、鉄分がカバー１１１上部に堆積してフィルタ本体８３ａにおける取付部８３ｂ側に付着及び堆積しにくい。そのため、仕切板８２からフィルタ８３を抜き取ると、フィルタ８３の外面やフィルタ取付面９８に付着していた酸化鉄（スラッジ）が落下するが、カバー１１の上部に堆積している鉄分がそのまま残る。そして、このとき、仕切板８２は、フィルタ取付面９８が鉛直方向に沿っていることから、フィルタ８３の外面やフィルタ取付面９８に付着していた酸化鉄（スラッジ）の一部が落下するときでも、各取付孔９７から流体排出空間部Ｂ側に行かずに、流体導入空間部Ａ側の容器８１の下部に落下する。そして、容器８１の下部に落下した鉄分は、ドレン部１０３から外部に排出される。
【００９３】
使用済のフィルタ８３が全て取外されると、今度は、新しいフィルタ８３を仕切板８２に装着する。即ち、取付部８３ｂをＯリング９９を介して取付孔９７に嵌合することで、新しいフィルタ８３が仕切板８２に装着される。フィルタ８３の交換が完了すると、容器本体９１に押え板８４を固定し、続いて、蓋９２をボルト９３により固定して作業終了となる。
【００９４】
このように第２実施形態のろ過装置にあっては、中空形状をなす容器８１と、複数の取付孔９７が設けられてフィルタ取付面９８が鉛直方向に沿って配置されると共に容器８１内を流体導入空間部Ａと流体排出空間部Ｂに区画する仕切板８２と、基端部が複数の取付孔９７にそれぞれ装着されて先端部が流体導入空間部Ａに配置される複数のフィルタ８３と、フィルタ取付面９８における取付孔９７の鉛直方向の上方側に設けられるカバー１１１，１１２，１１３，１１４とを設けている。
【００９５】
従って、ドレンＷ４は、流体導入空間部Ａに導入され、複数のフィルタ８３を通過することで鉄分が除去され、流体排出空間部Ｂに流動する。このとき、仕切板８２におけるフィルタ取付面９８が鉛直方向に沿って配置されることから、フィルタ８３に付着した鉄分が重力により流体導入空間部Ａ側の容器８１の下部に落下しやすい。また、取付孔９７の鉛直方向の上方側にカバー１１１，１１２，１１３，１１４が設けられることから、フィルタ８３の取付部８３ｂ側に鉄分が堆積しにくくなる。すると、フィルタ８３の交換時に、鉄分が仕切板８２の取付孔９７から流体排出空間部Ｂ側に落下することが抑制される。その結果、ドレンＷ４から除去した鉄分がろ過後のドレンＷ５へ再混入することが抑制され、装置の信頼性の向上を図ることができる。
【００９６】
第２実施形態のろ過装置では、カバー１１１，１１２，１１３，１１４は、取付孔９７の周縁部に沿うと共に、鉛直方向の下方側が開放されている。従って、カバー１１１，１１２，１１３，１１４が取付孔９７の周縁部に沿って下方側が開放されていることで、カバー１１１，１１２，１１３，１１４の内側に鉄分が堆積することが抑制され、仕切板８２の取付孔９７から流体排出空間部Ｂ側への鉄分の移動による混入を抑制することができる。これにより、給水ラインＬ７，Ｌ３を経由してボイラ１１へと供給する鉄分が除去されたドレンＷ５は、鉄分濃度を基準値以内に維持することが可能となる。
【００９７】
第２実施形態のろ過装置では、取付孔９７が円形の孔であり、カバー１１１，１１２，１１３，１１４が取付孔９７の周縁部に沿う円弧形状をなしている。従ってフィルタ８３の外面とカバー１１１，１１２，１１３，１１４の内面との隙間を狭く設定することができ、カバー１１１，１１２，１１３，１１４により被覆されたフィルタ８３の外面への鉄分の付着や堆積を抑制することができる。このため、フィルタ８３の交換時に鉄分が流体排出空間部Ｂ側へ行かず、ドレンＷ５に混入することが抑制される。
【００９８】
第２実施形態のろ過装置では、カバー１１４が水平方向に配列された複数の取付孔９７に対して同材料の連結部１１４ｂにより連続して設けられている。従って、１個のカバー１１４により複数のフィルタ８３を被覆することができ、仕切板８２へのカバー１１４の取付作業を容易として、製造工程を簡素化することができると共に、製造コストを低減することができる。
【００９９】
第２実施形態のろ過装置では、容器８１を長手方向に沿う軸心Ｏが水平方向Ｌに沿うように配置している。従って、フィルタ８３に付着した鉄分が重力により流体導入空間部Ａ側に落下しやすくなり、フィルタ８３の交換時に、鉄分が仕切板８２の取付孔９７から流体排出空間部Ｂ側に移行することを抑制することができる。  
【０１００】
第２実施形態のろ過装置では、複数のフィルタ８３の先端部が押え板８４により容器８１に支持されている。従って、複数のフィルタ８３を容器８１に安定して支持することができ、安定したろ過性能を維持することができる。
【０１０１】
［第３実施形態］
図１４は、第３実施形態のろ過装置を表す長手方向の断面図、図１５は、ろ過装置を表す図１４のXV−XV断面図、図１６は、第３実施形態のフィルタの交換方法を表すフローチャートである。なお、上述した第２実施形態と同様の機能を有する部材には、同一の符号を付して詳細な説明は省略する。
【０１０２】
第３実施形態において、図１４及び図１５に示すように、ろ過装置１２０は、ドレンＷ４に含まれる不純物としての酸化鉄（スラッジ）をろ過して除去するものである。ろ過装置１２０は、容器８１と、仕切板８２と、フィルタ８３と、押え板８４とを有している。ここで、容器８１、仕切板８２、フィルタ８３、押え板８４は、上述した実施形態２と同様である。また、第１実施形態と同様に、容器８１は、中心軸Ｏが水平方向に沿う水平線Ｌに対して所定角度θ１だけ傾斜させ、仕切板８２を鉛直線Ｖに沿って所定角度θ２だけ傾斜して配置されていてもよい。
【０１０３】
また、ろ過装置１２０は、複数のフィルタ８３に向けて洗浄水を噴射する洗浄水噴射装置１２１が設けられている。この洗浄水噴射装置１２１は、容器８１の周方向に所定間隔で配置されて流体導入空間部Ａに向けて洗浄水を噴射する複数（本実施形態では、５個）の噴射ノズル１２２を有している。
【０１０４】
各噴射ノズル１２２は、容器８１を周方向に、例えば６等分した６カ所のうちの最下部以外の位置に均等間隔で設けられている。各噴射ノズル１２２は、先端部が容器本体９１を外部から貫通して内部に挿通されており、基端部が図示しない配管を介して洗浄水供給装置に連結されている。各噴射ノズル１２２は、容器８１内の外周部で、流体導入空間部Ａに配置された各フィルタ８３における長手方向の中間位置に対応して設けられている。この場合、噴射ノズル１２２は、広角噴射ノズルであって、各フィルタ８３の長手方向の全域にわたって洗浄水を噴射可能となっている。
また、各噴射ノズル１２２は、容器８１内の外周部で、流体導入空間部Ａのフィルタ取付面９８付近に設けられ、噴射ノズル１２２により、特にフィルタ取付面９８に向かって重点的に洗浄水を噴射可能としても良い。
【０１０５】
なお、第３実施形態のろ過装置１２０の作用については、第２実施形態と同様であるため、説明は省略する。
【０１０６】
ここで、第３実施形態のフィルタの交換方法について説明する。
【０１０７】
第３実施形態のフィルタの交換方法は、流体導入空間部ＡへのドレンＷ４の供給を停止する工程と、容器８１内のドレンＷ４及び鉄分を除去されたドレンＷ５を排出する工程と、複数のフィルタ８３に向けて洗浄水を噴射する工程と、容器８１を開放する工程と、フィルタ８３を新しいフィルタ８３に交換する工程と、容器８１を閉止する工程と、容器８１に水張りする工程を有している。
【０１０８】
即ち、図１６に示すように、ステップＳ１１にて、ドレンポンプ４０（図５参照）を停止することで、容器８１内へのドレンＷ４の供給を停止する。ステップＳ１２にて、ドレン部１０３を開放することで、容器８１における流体導入空間部ＡのドレンＷ４をドレン部１０３から排出すると共に、流体排出空間部ＢのドレンＷ５を排出部１０２から排出する。ステップＳ１３にて、洗浄水噴射装置１２１を作動することで、各噴射ノズル１２２から流体導入空間部Ａの各フィルタ８３に向けて洗浄水を噴射する。各フィルタ８３や仕切板８２は、外面やフィルタ取付面９８に酸化鉄（スラッジ）が付着したり、堆積したりしているが、各噴射ノズル１２２から流体導入空間部Ａに向けて洗浄水が噴射されると、各フィルタ８３や仕切板８２に付着した酸化鉄（スラッジ）が除去され、洗浄水と共に容器８１の下部に落下する。
【０１０９】
各噴射ノズル１２２からの洗浄水の噴射流量や噴射時間は、各フィルタ８３や仕切板８２に対する鉄分の付着量や付着状態に応じて設定されており、例えば予め、実験などにより設定されている。この場合、各噴射ノズル１２２から洗浄水を断続的に噴射させてもよい。なお、各噴射ノズル１２２を、相対的に鉛直上方にあるものから順に噴射させて、相対的に鉛直上方にあるものから順に噴射終了させてもよい。鉛直上方側から下方側へと順に付着した酸化鉄（スラッジ）が洗浄されて落下するので、洗浄効果が一層に上昇するので好ましい。容器８１の下部に落下した鉄分は、洗浄水と共にドレン部１０３から外部に排出される。
【０１１０】
洗浄水の噴射によるフィルタ８３の洗浄作業が完了すると、ステップＳ１４にて、複数のボルト９３を弛緩し、容器本体９１から蓋９２を取外すことで開口部９４を開放する。ステップＳ１５にて、容器本体９１から押え板８４を取外すことで各フィルタ８３の支持を解除する。そして、ステップＳ１６にて、各フィルタ８３を仕切板８２から抜き取って取外す。このとき、フィルタ８３の外面や仕切板８２のフィルタ取付面９８は、洗浄水の噴射により酸化鉄（スラッジ）が除去されている。そのため、仕切板８２からフィルタ８３を抜き取っても、酸化鉄（スラッジ）が各取付孔９７から流体排出空間部Ｂ側に移動による混入することはない。これにより、給水ラインＬ７，Ｌ３を経由してボイラ１１へと供給するドレンＷ５は、鉄分濃度を基準値以内に維持することが可能となる。
【０１１１】
使用済のフィルタ８３が全て取外されると、ステップＳ１７にて、新しいフィルタ８３の取付部８３ｂをＯリング９９を介して取付孔９７に嵌合することで、新しいフィルタ８３を仕切板８２に装着する。ステップＳ１８にて、フィルタ８３の交換が完了すると、容器本体９１に押え板８４を固定し、続いて、ステップＳ１９にて、蓋９２をボルト９３により固定し、最後にステップＳ２０にて、容器８１に水張りをして作業終了となる。
【０１１２】
このように第３実施形態のろ過装置にあっては、中空形状をなす容器８１と、フィルタ取付面９８が鉛直方向に沿って配置されると共に容器８１内を流体導入空間部Ａと流体排出空間部Ｂに区画する仕切板８２と、基端部が複数の取付孔９７にそれぞれ装着されて先端部が流体導入空間部Ａに配置される複数のフィルタ８３と、複数のフィルタ８３に向けて洗浄水を噴射する洗浄水噴射装置１２１とを設けている。
【０１１３】
従って、洗浄水噴射装置１２１により複数のフィル８３に向けて洗浄水を噴射することで、各フィルタ８３に付着、堆積していた鉄分が容器８１の下部に落下する。このとき、フィルタ取付面９８が鉛直方向に沿うと共に、各フィルタ８３が流体導入空間部Ａで水平方向に沿って配置されていることから、フィルタ取付面９８や各フィルタ８３に付着、堆積していた鉄分が容易に容器８１の下部に落下する。そのため、フィルタ８３の交換時に、鉄分が仕切板８２の取付孔９７から流体排出空間部Ｂ側に落下するのを抑制することができる。このため、フィルタ８３の交換時に鉄分が流体排出空間部Ｂ側へ行かず、ドレンＷ５に混入することが抑制される。
【０１１４】
第３実施形態のろ過装置では、洗浄水噴射装置１２１として、容器８１の周方向に所定間隔で配置されて流体導入空間部Ｂに向けて洗浄水を噴射する複数の噴射ノズル１２２を設けている。従って、容器８１の周方向に所定間隔で配置される複数の噴射ノズル１２２から各フィルタ８３に向けて洗浄水が噴射されることとなり、各フィルタ８３のほぼ全域にわたって洗浄水を噴射し、付着した鉄分を効率良く除去することができる。
【０１１５】
また、第３実施形態のフィルタの交換方法にあっては、流体導入空間部ＡへのドレンＷ４の供給を停止する工程と、容器８１内のドレンＷ４及び鉄分の除去されたドレンＷ５を排出する工程と、複数のフィルタ８３に向けて洗浄水を噴射する工程と、容器８１を開放する工程と、フィルタ８３を新しいフィルタ８３に交換する工程と、容器８１を閉止する工程と、容器８１に水張りする工程を有する。
【０１１６】
従って、流体導入空間部ＡへのドレンＷ４の供給を停止して容器８１内のドレンＷ４とＷ５を排出した後、複数のフィルタ８３に向けて洗浄水を噴射することで、各フィルタ８３に付着、堆積していた鉄分が各フィルタ８３から容器８１の下部に落下する。そのため、フィルタ８３の交換時に、鉄分が仕切板８２の取付孔９７から流体排出空間部Ｂ側に落下することが抑制される。その結果、ドレンＷ４から除去した鉄分がろ過後のドレン水Ｗ５へ再混入することが抑制され、装置の信頼性の向上を図ることができる。
【０１１７】
なお、上述した第２実施形態では、仕切板８２のフィルタ取付面９８における取付孔９７に沿ってカバー１１１，１１２，１１３，１１４を設けたが、第１、第３実施形態にて、仕切板５２，８２のフィルタ取付面６８，９８における取付孔６７，９７に沿ってカバー１１１，１１２，１１３，１１４を設けてもよい。
【０１１８】
また、上述した第３実施形態では、複数のフィルタ８３に向けて洗浄水を噴射する洗浄水噴射装置１２１が設けたが、第１実施形態にて、複数のフィルタ５３に向けて洗浄水を噴射する洗浄水噴射装置１２１を設けてもよい。
【０１１９】
また、上述した第１実施形態では、仕切板５２のフィルタ取付面６８が鉛直方向の下方を向くように傾斜して配置すると共に、容器５１を長手方向に沿う軸心Ｏが水平方向に対して傾斜するように配置し、第２、第３実施形態では、仕切板８２のフィルタ取付面９８を鉛直方向に沿って配置すると共に、容器５１を長手方向に沿う中心軸Ｏが水平方向に沿うように配置したが、この構成に限定されるものではない。例えば、仕切板５２のフィルタ取付面６８が鉛直方向の下方を向くように傾斜して配置し、容器５１を長手方向に沿う中心軸Ｏが水平方向に沿うように配置してもよい。また、仕切板８２のフィルタ取付面９８を鉛直方向に沿って配置し、容器８１を長手方向に沿う中心軸Ｏが水平方向に対して傾斜するように配置してもよい。
【０１２０】
また、上述した実施形態では、本発明のろ過装置を発電プラントに適用したが、この分野に限定されるものではない。
【符号の説明】
【０１２１】
１１  ボイラ
１２  蒸気タービン
１３  発電機
２５  復水器
３０  低圧給水ヒータ
３８  低圧ヒータドレンタンク
３９，８０，１２０  ろ過装置
４０  ドレンポンプ
５１，８１  容器
５２，８２  仕切板
５３，８３  フィルタ
５３ａ，８３ａ  フィルタ本体
５３ｂ，８３ｂ  取付部
５４，８４，  押え板
６１，９１  容器本体
６２，９２  蓋
６７，９７  取付孔
６８，９８  フィルタ取付面
６９，９９  Ｏリング
１１１，１１２，１１３，１１４  カバー
１２１  洗浄水噴射装置
１２２  噴射ノズル
Ｗ４  ドレン（流体）
Ｗ５  鉄分の除去されたドレン（流体）
Ｌ６  ドレン送給ライン
Ｌ７  給水ライン
【図１】
2017087093.tif 000003
【図２】
2017087093.tif 000004
【図３】
2017087093.tif 000005
【図４】
2017087093.tif 000006
【図５】
2017087093.tif 000007
【図６】
2017087093.tif 000008
【図７】
2017087093.tif 000009
【図８】
2017087093.tif 000010
【図９】
2017087093.tif 000011
【図１０】
2017087093.tif 000012
【図１１】
2017087093.tif 000013
【図１２】
2017087093.tif 000014
【図１３】
2017087093.tif 000015
【図１４】
2017087093.tif 000016
【図１５】
2017087093.tif 000017
【図１６】
2017087093.tif 000018